(57)【要約】【課題】エレベータ駆動用モータへの給電を行なうインバータ装置に搭載したスイッチング素子を冷却する冷却器の冷媒の熱飽和によるスイッチング素子の破損を防ぐこと。【解決手段】スイッチング素子温度検出器１４と周囲温度検出器１５でスイッチング素子１２Ａの温度上昇を連続的に常時検出すると共に、温度上昇予測回路１０１により、電流検出器１００で検出したインバータ装置１２の出力電流に基づいてスイッチング素子１２Ａの温度上昇値を予測する。そして、温度差比較回路１０２でそれらスイッチング素子１２Ａの温度上昇の予測値と実測値とを比較し、温度傾き検出回路１０３が上記温度差比較回路１０２での比較結果の単位時間当たりの変化量が予め設定した変化量以上となったと検出したなら、異常検出回路１７は冷却器の異常を検出して、エレベータ制御用マイコン１３及び保護運転制御回路１８により、最寄階にエレベータを停止させる。【選択図】図１
2011063432.tif 000002
【特許請求の範囲】
【請求項１】
複数のスイッチング素子をＰＷＭ信号に従ってオン、オフ制御することにより直流を交流に変換するインバータ装置を介して、エレベータ駆動用モータを制御するエレベータの制御装置において、
前記インバータ装置を冷媒の熱輸送によって冷却する冷却器と、
前記スイッチング素子の温度上昇を連続的に常時検出する温度検出手段と、
前記インバータ装置の出力電流に基づいて、前記スイッチング素子の温度上昇値を予測する温度上昇予測手段と、
前記温度上昇予測手段による前記スイッチング素子の温度上昇の予測値と、前記温度検出手段による前記スイッチング素子の温度上昇の実測値とを比較する温度比較回路と、
前記温度比較回路での比較結果の単位時間当たりの変化量が予め設定した変化量以上となった場合に、前記冷却器の異常を検出する異常検出手段と、
前記異常検出手段が前記冷却器の異常を検出した時に、最寄階にエレベータを停止させる保護運転手段と、
を備えることを特徴とするエレベータ制御装置。
【請求項２】
前記異常検出手段は、前記温度比較回路での比較結果として前記スイッチング素子の温度上昇の予測値と実測値との間に予め設定した値以上の差が生じ、且つ、その差分の単位時間当たりの変化量が前記予め設定した変化量以上となった場合に、前記冷却器の異常を検出することを特徴とする請求項１に記載のエレベータ制御装置。
【請求項３】
前記異常検出手段は、前記温度比較回路での比較結果として前記スイッチング素子の温度上昇の予測値と実測値との間に前記予め設定した値以上の差が生じない場合であっても、前記差分の値が予め設定した周波数以上で増減を繰り返した場合に、前記冷却器の異常を検出することを特徴とする請求項２に記載のエレベータ制御装置。
【請求項４】
エレベータの運転前に、当該エレベータの行先階と当該エレベータへの積載荷重とに基づいて、前記ＰＷＭ信号のパターンを制御してエレベータの運転を制御する制御手段を更に備え、
前記温度上昇予測手段は、前記ＰＷＭ信号のパターンに基づいて前記インバータ装置の出力電流のパターンを予測し、その予測に基づいて前記スイッチング素子の温度上昇値のパターンを予測することを特徴とする請求項１乃至３の何れかに記載のエレベータ制御装置。
【請求項５】
前記異常検出手段は、前記温度上昇予測手段が予測した前記スイッチング素子の温度上昇値のパターンを基に、前記ＰＷＭ信号のパターンでエレベータを運転した場合に前記温度上昇値が予め設定した上限値以上となるか否かをエレベータ運転前に判別し、前記上限値以上となるならば、前記冷却器が異常となる異常予測を検出し、
前記保護運転手段は、前記異常検出手段が前記異常予測を検出した時には、前記ＰＷＭ信号のパターンを変更することで、エレベータを制限運転することを特徴とする請求項４に記載のエレベータ制御装置。
【請求項６】
前記温度上昇予測手段は、前記ＰＷＭ信号のパターンに基づいて前記インバータ装置の出力電流のパターンを予測し、その出力電流の予測パターンと通常運転時の前記スイッチング素子のオン、オフ周波数とに基づいて、通常運転時における前記スイッチング素子の温度上昇値のパターンを予測し、
前記異常検出手段は、前記温度上昇予測手段が予測した通常運転時の前記スイッチング素子の温度上昇値のパターンを基に前記温度上昇値が予め設定した上限値以上となるか否かをエレベータの運転前に判別し、前記上限値以上となるならば、前記冷却器が異常となる異常予測を検出し、
前記異常検出手段が前記異常予測を検出した時には、
前記温度上昇予測手段は、前記スイッチング素子のオン、オフ周波数を、前記通常運転時よりも低い予め設定した周波数に変更した場合の前記スイッチング素子の温度上昇値のパターンを予測し、
前記保護運転手段は、前記スイッチング素子のオン、オフ周波数を、前記通常運転時よりも低い前記予め設定した周波数に変更する、
ことを特徴とする請求項５に記載のエレベータ制御装置。
【請求項７】
エレベータの遠隔操作を受け付ける手段を更に備え、
前記制御手段は、前記エレベータの遠隔操作に応じてエレベータを運転することで、前記冷却器の異常の有無を検出させることを特徴とする請求項４乃至６の何れかに記載のエレベータ制御装置。
【発明の詳細な説明】
【技術分野】
【０００１】
本発明は、エレベータ駆動用モータに電流を供給している電力変換装置において、冷却器の冷媒の熱飽和によるスイッチング素子の破損を防ぐことのできる機能を有しているエレベータ制御装置に関する。
【背景技術】
【０００２】
図１１は、従来のスイッチング素子の冷却システムが設置された電力変換装置を有するエレベータ制御装置の構成を示す図である。電力変換装置は、コンバータ装置１０、平滑コンデンサ１１、及びインバータ装置１２から構成され、エレベータ制御装置は、該電力変換装置と、エレベータ制御用マイコン１３、スイッチング素子温度検出器１４、周囲温度検出器１５、温度上昇検出回路１６、異常検出回路１７、保護運転制御回路１８、及び遠隔監視装置１９を含む。
【０００３】
エレベータ駆動系として、電力変換装置は、商用三相交流電源１より供給された交流電源を、コンバータ装置１０、平滑コンデンサ１１を介してインバータ装置１２に与える。コンバータ装置１０は、商用三相交流電源１より供給された交流電源を整流する。このコンバータ装置１０は、回生機能付きコンバータ装置としても良い。平滑コンデンサ１１は、コンバータ装置１０により整流された整流電圧を平滑して直流電圧とする。インバータ装置１２では、エレベータ駆動用モータ２を駆動させるのに必要な周波数と電圧に制御し、エレベータ駆動用モータ２を駆動させる。即ち、インバータ装置１２は、平滑コンデンサ１１で平滑された直流電圧を、複数のスイッチング素子をＰＷＭ信号に従ってオン、オフ制御することで、所望の電圧、周波数の交流へ変換し、負荷であるエレベータ駆動用モータ２への給電を行う。
【０００４】
エレベータの制御は、エレベータ制御用マイコン１３によって行なわれ、エレベータ駆動用モータ２には、乗客が乗り込むエレベータかご装置３とカウンタウェイト４とがロープ５を介して吊り下げられている。エレベータ駆動用モータ２が回転駆動すると、エレベータかご装置３とカウンタウェイト４がロープ５を介して昇降動作する。
【０００５】
また、インバータ装置１２よりエレベータ駆動用モータ２へ電流を供給する際、インバータ装置１２に搭載しているスイッチング素子は通電電流量に比例して発熱する。そのため、特に図示はしていないが、該インバータ装置１２には、スイッチング素子を冷媒の熱輸送によって冷却する冷却器が配されている。スイッチング素子温度検出器１４はこのスイッチング素子の温度を測定し、周囲温度検出器１５は外気温度を測定する。温度上昇検出回路１６は、これらのスイッチング素子温度検出器１４及び周囲温度検出器１５で測定した温度によりスイッチング素子の温度上昇を検出する。異常検出回路１７は、該温度上昇検出回路１６の温度上昇検出結果が所定の閾値を越えたか否かにより、冷却器の異常の有無を確認する。そして、異常があった場合には、エレベータ制御用マイコン１３の制御によって保護運転制御回路１８よりエレベータを最寄り階に停止される等の保護運転を行なわせると共に、遠隔監視装置１９より監視センタ等に異常を発報する。
【０００６】
また、特許文献１には、インバータ装置１２に搭載しているスイッチング素子の温度を、上記スイッチング素子温度検出器１４のような温度検出器で直接検出する代わりに、インバータ装置１２の出力電流を検出し、該検出したインバータ出力電流に基づいてスイッチング素子の温度を演算して求める構成も提案されている。
【先行技術文献】
【特許文献】
【０００７】
【特許文献１】特開２００２−３０２３５９号公報
【発明の概要】
【発明が解決しようとする課題】
【０００８】
上述のように、従来のエレベータ制御装置では、温度上昇検出回路１６によって検出しているインバータ装置１２に搭載したスイッチング素子の温度上昇値が予め設定した温度になると異常検出回路１７で異常を検出し、エレベータは保護動作に移るように構成されている。
【０００９】
しかしながら、スイッチング素子を冷媒の熱輸送によって冷却する冷却器の冷媒が熱飽和していると、スイッチング素子の温度上昇値はほぼ垂直に上昇するため、異常検出回路１７が温度上昇検出回路１６の検出値によって異常を検出したしても、保護運転への移行が間に合わず、急激な温度上昇のためスイッチング素子が破損してしまう場合がある。従って、冷却器の熱飽和の予兆を早めに検出し、急激な温度上昇によりスイッチング素子を破損させない冷却器の保護機能を備えたエレベータ制御装置の開発が望まれている。
【００１０】
そこで本発明は、インバータ装置に搭載しているスイッチング素子を冷却する冷却器に使用している冷媒の熱飽和によるスイッチング素子の破損を防ぐことができ、スイッチング素子に急激な温度ストレスを与えないようにすることのできるエレベータ制御装置を提供することを目的とする。
【課題を解決するための手段】
【００１１】
前記目的を果たすため、本発明に係るエレベータ制御装置の一態様は、
複数のスイッチング素子をＰＷＭ信号に従ってオン、オフ制御することにより直流を交流に変換するインバータ装置を介して、エレベータ駆動用モータを制御するエレベータの制御装置において、
前記インバータ装置を冷媒の熱輸送によって冷却する冷却器と、
前記スイッチング素子の温度上昇を連続的に常時検出する温度検出手段と、
前記インバータ装置の出力電流に基づいて、前記スイッチング素子の温度上昇値を予測する温度上昇予測手段と、
前記温度上昇予測手段による前記スイッチング素子の温度上昇の予測値と、前記温度検出手段による前記スイッチング素子の温度上昇の実測値とを比較する温度比較回路と、
前記温度比較回路での比較結果の単位時間当たりの変化量が予め設定した変化量以上となった場合に、前記冷却器の異常を検出する異常検出手段と、
前記異常検出手段が前記冷却器の異常を検出した時に、最寄階にエレベータを停止させる保護運転手段と、
を備えることを特徴とする。
【発明の効果】
【００１２】
本発明によれば、インバータ装置に搭載しているスイッチング素子の温度上昇値を予測し、予測したスイッチング素子の温度上昇値と実測した温度上昇値との差分により、冷却器の異常つまり冷却器に使用している冷媒の熱飽和状態を検出することで、冷媒の熱飽和によるスイッチング素子の破損を防ぐことができ、スイッチング素子に急激な温度ストレスを与えないようにすることのできるエレベータ制御装置を提供することができる。
【図面の簡単な説明】
【００１３】
【図１】（Ａ）は本発明の第１実施形態に係るエレベータ制御装置の構成を示す図。（Ｂ）は冷却器の構成を示す図。
【図２】スイッチング素子の温度上昇カーブを示す図である。
【図３】本発明の第２実施形態に係るエレベータ制御装置の構成を示す図。
【図４】スイッチング素子の温度上昇カーブを示す図である。
【図５】本発明の第３実施形態に係るエレベータ制御装置の構成を示す図。
【図６】（Ａ）はインバータ装置の予測出力電流パターンを示す図。（Ｂ）は予測出力電流パターンに基づく予測温度上昇パターンを示す図。
【図７】本発明の第４実施形態に係るエレベータ制御装置の構成を示す図。
【図８】運転を繰り返した場合の温度上昇パターン及び予測温度上昇パターンを示す図。
【図９】本発明の第５実施形態に係るエレベータ制御装置の構成を示す図。
【図１０】本発明の第６実施形態に係るエレベータ制御装置の構成を示す図。
【図１１】従来のエレベータ制御装置の構成を示す図である。
【発明を実施するための形態】
【００１４】
以下、本発明の実施形態について図面を参照して説明する。
【００１５】
［第１実施形態］
先ず、本発明の第１実施形態に係るエレベータ制御装置を説明する。  
図１（Ａ）に示す構成において、図１１を参照して説明した従来のエレベータ制御装置と同様のものには同一の参照符号を付し、その説明を省略するものとする。
【００１６】
本第１実施形態においても、スイッチング素子の冷却システムが設置された電力変換装置は、図１（Ａ）に示す通り、コンバータ装置１０、平滑コンデンサ１１、及びインバータ装置１２から構成される。
【００１７】
ここで、インバータ装置１２には、該インバータ装置１２のスイッチング素子を冷媒の熱輸送によって冷却する冷却器が配されている。この冷却器は、図１（Ｂ）に示す通り、受熱板２００、熱輸送部材２０１、放熱フィン２０２、及び冷却ファン２０３によって構成される。受熱板２００は、その一面にインバータ装置１２に搭載しているスイッチング素子１２Ａの放熱面が接着され、他面に熱輸送部材２０１が配されて、スイッチング素子１２Ａで発生した熱を熱輸送部材２０１に伝達する。熱輸送部材２０１は、ヒートパイプ等の冷媒によって放熱フィン２０２に熱輸送を行い、放熱フィン２０２及び冷却ファン２０３によって、その輸送されてきた熱を放熱する。
【００１８】
そして、本第１実施形態に係るエレベータ制御装置は、図１（Ａ）に示す通り、上記電力変換装置と、エレベータ制御用マイコン１３、スイッチング素子温度検出器１４、周囲温度検出器１５、異常検出回路１７、保護運転制御回路１８、及び遠隔監視装置１９を含む。また更に、電流検出器１００と、温度上昇予測回路１０１、温度差比較回路１０２、及び温度傾き検出回路１０３を含む。
【００１９】
電流検出器１００は、インバータ装置１２の出力電流を検出する。温度上昇予測回路１０１は、電流検出器１００が検出したインバータ装置１２の出力電流に基づいて、インバータ装置１２に搭載しているスイッチング素子１２Ａの温度上昇値を予測する。温度差比較回路１０２は、温度上昇予測回路１０１で予測された温度上昇の予測値とスイッチング素子温度検出器１４及び周囲温度検出器１５によって検出されたスイッチング素子１２Ａの温度上昇の実測値とを比較する。温度傾き検出回路１０３は、スイッチング素子１２Ａの温度上昇の傾きを測定する。
【００２０】
以下、このような構成のエレベータ制御装置の動作を説明する。  
エレベータ制御用マイコン１３の制御による複数のスイッチング素子１２ＡをＰＷＭ信号に従ってオン、オフ制御することでインバータ装置１２よりエレベータ駆動用モータ２に給電して、エレベータかご装置３を昇降動作させると、インバータ装置１２に搭載しているスイッチング素子１２Ａは通電電流量に比例して発熱する。スイッチング素子１２Ａは、冷却器によって冷却されるため、通常、図２に通常時の温度上昇３００として示すように、スイッチング素子１２Ａの温度上昇が抑えられるようになっている。
【００２１】
しかしながら、冷却器の熱輸送部材２０１の冷媒が熱飽和していると、スイッチング素子１２Ａの温度がほぼ垂直に上昇するドライアウトと称される現象が発生する。図２における破線の温度上昇カーブが、この冷媒ドライアウト時（熱輸送不可能）の温度上昇３０１を示している。そのため、所定の閾値により温度の上昇を検出して保護運転に移るような制御では、このドライアウト時に保護運転への移行が間に合わず、急激な温度上昇のためスイッチング素子１２Ａが破損してしまう。
【００２２】
そこで、本実施形態では、エレベータ運転中を含めて連続的に常時、スイッチング素子温度検出器１４によりインバータ装置１２に搭載しているスイッチング素子１２Ａの放熱面付近の温度を測定し、周囲温度検出器１５によりスイッチング素子１２Ａ周辺の外気温度を測定すると共に、電流検出器１００によりインバータ装置１２の出力電流を検出する。これらスイッチング素子温度検出器１４、周囲温度検出器１５及び電流検出器１００で測定されたデータはそれぞれエレベータ制御用マイコン１３に常時読み込まれる。エレベータ制御用マイコン１３は、上記スイッチング素子温度検出器１４で測定したスイッチング素子１２Ａの放熱面付近の温度と上記周囲温度検出器１５で測定したスイッチング素子１２Ａ周辺の外気温度とから、スイッチング素子１２Ａの温度上昇の実測値を算出する。
【００２３】
温度上昇予測回路１０１は、エレベータ制御用マイコン１３より入力される上記周囲温度検出器１５で測定したスイッチング素子周辺の外気温度と上記電流検出器１００で検出されたインバータ装置１２の出力電流とに基づいて、インバータ装置１２に搭載しているスイッチング素子１２Ａの通電電流値における温度上昇値を予測する。
【００２４】
温度差比較回路１０２は、この温度上昇予測回路１０１で予測されたスイッチング素子１２Ａの温度上昇の予測値と、上記エレベータ制御用マイコン１３で算出したスイッチング素子１２Ａの温度上昇の実測値とを比較して、その差を後段の温度傾き検出回路１０３に入力する。
【００２５】
温度傾き検出回路１０３は、上記スイッチング素子１２Ａの温度上昇の予測値と実測値との差の単位時間当たりの変化量、つまり、温度上昇値の傾きを検出する。異常検出回路１７は、この温度傾き検出回路１０３で検出した差分の単位時間当たりの変化量が予め設定した変化量以上となった場合、つまり、温度上昇値の傾きが予め設定した傾き以上となった場合に、冷却器に異常があること即ち冷媒ドライアウトを検出して、異常信号を発報する。
【００２６】
この異常検出回路１７から発報された異常信号は、遠隔監視装置１９へ入力される。遠隔監視装置１９は、公衆回線網を介して図示しない監視センタへ、異常発生情報を通信する。監視センタでは、その異常発生情報を受信すると、オペレータが、営業所に待機している又は保守点検作業のため営業所外にいる保守員に対し、電話などでその異常発生情報を発した遠隔監視装置に対応するエレベータの場所を知らせ、保守員を冷却器の異常点検に向かわせることとなる。
【００２７】
また、上記異常検出回路１７から出力された異常信号は、エレベータ制御用マイコン１３にも発報される。エレベータ制御用マイコン１３は、異常信号が発報されると、保護運転制御回路１８よりエレベータかご装置３を最寄階に停止させる保護運転を実施することで、インバータ装置１２のスイッチング素子１２Ａを破損させることなく駆動させる。
【００２８】
以降は、スイッチング素子温度検出器１４で検出したインバータ装置１２のスイッチング素子１２Ａの放熱面付近の温度が予め設定した温度以下になるまで冷却し、該予め設定した温度以下となったならば、エレベータの運転を再開する。
【００２９】
以上のように、本第１実施形態によれば、複数のスイッチング素子１２ＡをＰＷＭ信号に従ってオン、オフ制御することにより直流を交流に変換するインバータ装置１２を介して、エレベータ駆動用モータ２を制御するエレベータの制御装置において、上記インバータ装置１２を冷媒の熱輸送によって冷却する冷却器と、上記スイッチング素子１２Ａの温度上昇を連続的に常時検出する温度検出手段としてのスイッチング素子温度検出器１４、周囲温度検出器１５及びエレベータ制御用マイコン１３と、電流検出器１００で検出した上記インバータ装置１２の出力電流に基づいて、上記スイッチング素子１２Ａの温度上昇値を予測する温度上昇予測手段としての温度上昇予測回路１０１と、上記温度上昇予測手段による上記スイッチング素子１２Ａの温度上昇の予測値と、上記温度検出手段による上記スイッチング素子１２Ａの温度上昇の実測値とを比較する温度差比較回路１０２と、上記温度差比較回路１０２での比較結果の単位時間当たりの変化量が予め設定した変化量以上となった場合に、上記冷却器の異常を検出する異常検出手段としての温度傾き検出回路１０３及び異常検出回路１７と、上記異常検出手段が上記冷却器の異常を検出した時に、最寄階にエレベータを停止させる保護運転手段としてのエレベータ制御用マイコン１３及び保護運転制御回路１８と、を備えることで、ドライアウトの発生を素早く検出して、冷却器の能力を超えないようにエレベータの運転を制限することが可能となる。
【００３０】
なお、ここでは、異常検出回路１７は、上記温度傾き検出回路１０３で検出した上記スイッチング素子１２Ａの温度上昇の予測値と実測値との差分の単位時間当たりの変化量が予め設定した変化量以上となった場合、つまり、温度上昇値の傾きが予め設定した傾き以上となった場合を、冷却器の異常発生判定条件としたが、更に、上記スイッチング素子１２Ａの温度上昇の予測値と実測値との差分に予め設定した値以上の差が生じたということも、異常発生判定の条件に加えることが望ましい。
【００３１】
このように、上記異常検出手段は、上記温度差比較回路１０２での比較結果として上記スイッチング素子の温度上昇の予測値と実測値との間に予め設定した値以上の差が生じ、且つ、その差分の単位時間当たりの変化量が上記予め設定した変化量以上となった場合に、上記冷却器の異常を検出するように構成することにより、ノイズ等による誤った異常検出の可能性を低くすることができる。
【００３２】
［第２実施形態］
次に、本発明の第２実施形態に係るエレベータ制御装置を説明する。  
図３において、上記第１実施形態に係るエレベータ制御装置と同様のものには同一の参照符号を付し、その説明を省略する。
【００３３】
本実施形態に係るエレベータ制御装置は、上記第１実施形態に係るエレベータ制御装置の構成に加えて、温度周波数検出回路１０４を備える。この温度周波数検出回路１０４は、インバータ装置１２に搭載しているスイッチング素子１２Ａの温度上昇・下降の周波数を測定する。
【００３４】
即ち、図２に示すような通常時の温度上昇３００から冷媒ドライアウト時の温度上昇３０１に移る寸前では、小刻みなドライアウト状態／非ドライアウト状態が繰り返されて、図４に冷媒ドライアウト寸前の温度上昇３０２として示すように、温度が上昇・下降を繰り返す。
【００３５】
上述したように、異常検出回路１７の異常発生判定の条件として、スイッチング素子１２Ａ温度上昇値の傾きと、温度上昇の予測値と実測値との差分の二種類の判定条件を用いた場合、この温度上昇・下降が、上記スイッチング素子１２Ａの温度上昇の予測値と実測値との間に上記予め設定した値以上の差が生じないような範囲内でなされると、異常検出とはなさない。
【００３６】
そこで、本実施形態では、温度差比較回路１０２で求めたスイッチング素子１２Ａの温度上昇の予測値と実測値との差を温度周波数検出回路１０４に入力する。そして、該温度周波数検出回路１０４にて、その入力された差分の上昇、下降の周波数を検出することで、スイッチング素子１２Ａの温度上昇・下降の周波数を測定する。勿論、エレベータ制御用マイコン１３から上記スイッチング素子温度検出器１４で測定したスイッチング素子１２Ａの放熱面付近の温度の実測値を温度周波数検出回路１０４に入力して、直接スイッチング素子１２Ａの温度上昇・下降の周波数を測定するようにしても構わない。
【００３７】
そして、異常検出回路１７は、温度周波数検出回路１０４で検出したスイッチング素子１２Ａの温度上昇・下降の周波数が予め設定した周波数以上であれば、冷却器に異常があること即ち冷媒ドライアウトを検出して、異常信号を発報する。
【００３８】
その他は、上記第１実施形態で説明した通りである。
【００３９】
以上のように、本第２実施形態によれば、上記異常検出手段は、上記温度差比較回路１０２での比較結果として上記スイッチング素子１２Ａの温度上昇の予測値と実測値との間に上記予め設定した値以上の差が生じない場合であっても、上記差分の値が予め設定した周波数以上で増減を繰り返した場合に、上記冷却器の異常を検出するよう構成したので、冷媒ドライアウトの予兆を捉えて、冷媒ドライアウト時の温度上昇３０１が検出される前に異常検出することができ、冷却器の能力を超えないようにエレベータの運転を制限することが可能となる。
【００４０】
［第３実施形態］
次に、本発明の第３実施形態に係るエレベータ制御装置を説明する。  
図５において、上記第２実施形態に係るエレベータ制御装置と同様のものには同一の参照符号を付し、その説明を省略する。
【００４１】
本実施形態に係るエレベータ制御装置は、上記第２実施形態における電流検出器１００に代えて、行先階検出器１０５、荷重検出器１０６、及び電流パターン予測回路１０７を備える。
【００４２】
行先階検出器１０５は乗客が指定するエレベータの行先階を検出する。荷重検出器１０６は、エレベータかご装置３内の荷重を検出する。電流パターン予測回路１０７は、行先階検出器１０５と荷重検出器１０６で検出された値よりインバータ装置１２の出力電流を予測する。
【００４３】
即ち、行先階検出器１０５で検出された行先階及び荷重検出器１０６で検出されたエレベータかご装置３内の荷重はそれぞれエレベータ制御用マイコン１３に読み込まれる。エレベータ制御用マイコン１３は、それら行き先階と荷重とよりエレベータの運転パターン、つまり、加速度、等速度、減速度及びそれぞれの時間を決定して、その運転パターンに基づいて複数のスイッチング素子１２ＡをＰＷＭ信号でオン、オフ制御することでインバータ装置１２よりエレベータ駆動用モータ２に給電して、エレベータかご装置３を行き先階へ昇降動作させる。
【００４４】
また、エレベータの運転パターンが決まれば、インバータ装置１２の出力電流がどのように変化するかを予測することができる。即ち、図６（Ａ）に示すように、加速時には電流値が増加していき、等速運転時には一定の電流値となり、減速時には電流値が減少していく。従って、エレベータ運転中に電流検出器１００で直接インバータ装置１２の出力電流を検出する代わりに、本実施形態では、エレベータの運転前に、電流パターン予測回路１０７により、エレベータ制御用マイコン１３からの運転パターンに基づいてインバータ装置１２の出力電流パターンを予測する。
【００４５】
この予測された出力電流パターンは、温度上昇予測回路１０１に入力される。温度上昇予測回路１０１は、この入力された出力電流パターンと、エレベータ制御用マイコン１３より入力される上記周囲温度検出器１５で測定したスイッチング素子周辺の外気温度とに基づいて、図６（Ｂ）に示すように、インバータ装置１２に搭載しているスイッチング素子１２Ａの通電電流値における温度上昇パターンを予測する。
【００４６】
そして、温度差比較回路１０２は、エレベータの運転中、上記エレベータ制御用マイコン１３で算出したエレベータの運転によって変化していくスイッチング素子１２Ａの温度上昇の実測値と、上記温度上昇予測回路１０１で予測されたスイッチング素子１２Ａの温度上昇パターンにおける現時点に対応する予測値とを比較していく。
【００４７】
以上のように、本第３実施形態によれば、エレベータの運転前に、行先階検出器１０５で検出された当該エレベータの行先階と荷重検出器１０６で検出された当該エレベータへの積載荷重とに基づいて、上記ＰＷＭ信号のパターンを制御してエレベータの運転を制御する制御手段としてのエレベータ制御用マイコン１３を更に備え、上記温度上昇予測手段としての電流パターン予測回路１０７及び温度上昇予測回路１０１は、上記ＰＷＭ信号のパターンに基づいて上記インバータ装置の出力電流のパターンを予測し、その予測に基づいて上記スイッチング素子の温度上昇値のパターンを予測するよう構成したので、インバータ装置１２の出力電流を直接検出しなくても、冷却器の能力を超えないようにエレベータの運転を制限することが可能となる。
【００４８】
なお、本実施形態は、図１（Ａ）に示したような温度周波数検出回路１０４を備えない上記第１実施形態においても、同様に適用可能なことは言うまでもない。
【００４９】
［第４実施形態］
次に、本発明の第４実施形態に係るエレベータ制御装置を説明する。  
図７において、上記第３実施形態に係るエレベータ制御装置と同様のものには同一の参照符号を付し、その説明を省略する。
【００５０】
本実施形態に係るエレベータ制御装置は、上記第３実施形態における構成に加えて、温度異常検出回路１０８を備えている。この温度異常検出回路１０８は、温度上昇予測回路１０１で予測したインバータ装置１２に搭載しているスイッチング素子１２Ａの温度上昇パターンより、エレベータの運転前に、異常値を検出する。
【００５１】
図８に示すように、インバータ装置１２に搭載しているスイッチング素子１２Ａの温度は、エレベータの運転を繰り返していくうちに、発生した熱が冷却しきれずに蓄積されて、運転開始時の温度で比べれば徐々に高くなっていく。上記第３実施形態で説明したように、エレベータの運転前の時点３０３において、温度上昇予測回路１０１は、温度上昇パターンを予測する。この温度上昇予測回路１０１で予測される温度上昇パターンを、エレベータ制御用マイコン１３から入力されるスイッチング素子温度検出器１４で測定した温度と総和することにより、冷却器に加わる温度上昇パターンの総和を、予測温度上昇パターン３０４として、エレベータの運転前に予測することができる。
【００５２】
温度異常検出回路１０８は、この温度上昇予測回路１０１によって予測された予測温度上昇パターン３０４を予め設定した保護設定レベル３０５以上であるかを確認し、異常検出回路１７は、温度異常検出回路１０８にて予測温度上昇パターン３０４が上記保護設定レベル３０５以上の温度となる検出された場合には、異常予測信号を発報する。エレベータ制御用マイコン１３は、この異常予測信号を受けた場合には、保護運転制御回路１８よりエレベータの負荷制限、例えば上記ＰＷＭ信号のパターンを変更することでエレベータを制限運転する等の保護運転を実施して、インバータ装置１２のスイッチング素子１２Ａを破損することなく駆動させる。
【００５３】
なお、このエレベータの制限運転時や通常運転時等のエレベータ運転中に、ドライアウトの予兆を検出して、冷却器の能力を超えないようにエレベータの運転を制限することが可能なことは、上記第２実施形態と同様である。
【００５４】
以上のように、本第４実施形態によれば、上記異常検出手段としての温度異常検出回路１０８及び異常検出回路１７は、上記温度上昇予測手段が予測した上記スイッチング素子の温度上昇値のパターンを基に、上記ＰＷＭ信号のパターンでエレベータを運転した場合に上記温度上昇値が予め設定した上限値以上となるか否かをエレベータ運転前に判別し、上記上限値以上となるならば、上記冷却器が異常となる異常予測を検出し、上記保護運転手段としてのエレベータ制御用マイコン１３及び保護運転制御回路１８は、上記異常検出手段が上記異常予測を検出した時には、上記ＰＷＭ信号のパターンを変更することで、エレベータを制限運転するように構成したので、エレベータ運転前に、そのまま運転したのでは異常となることを判別して、負荷を制限して運転することが可能となる。
【００５５】
なお、本実施形態は、図１（Ａ）に示したような温度周波数検出回路１０４を備えない上記第１実施形態においても、同様に適用可能なことは言うまでもない。
【００５６】
［第５実施形態］
次に、本発明の第５実施形態に係るエレベータ制御装置を説明する。  
図９において、上記第４実施形態に係るエレベータ制御装置と同様のものには同一の参照符号を付し、その説明を省略する。
【００５７】
本実施形態に係るエレベータ制御装置は、上記第４実施形態の構成において、キャリア周波数制御変更回路１０９とキャリア周波数設定回路１１０とを更に備えている。
【００５８】
キャリア周波数制御変更回路１０９は、インバータ装置１２に搭載しているスイッチング素子１２Ａのキャリア周波数を変更制御し、キャリア周波数設定回路１１０には予め幾つかのキャリア周波数が設定されている。ここで、キャリア周波数とは、上記ＰＷＭ信号のパターンに基づくスイッチング素子１２Ａのオン、オフ周波数のことである。
【００５９】
本実施形態においては、温度上昇予測回路１０１は、電流パターン予測回路１０７によって予測した電流パターンと、エレベータ制御用マイコン１３によってキャリア周波数設定回路１１０に予め設定されたキャリア周波数とに基づいて、温度上昇パターンを予測する。即ち、キャリア周波数が高いとスイッチング素子１２Ａは高速にオン、オフされるので発熱量が多く、キャリア周波数が低いとスイッチング素子１２Ａも低速でオン、オフされるので発熱量が少ない。従って、キャリア周波数によって、温度上昇パターンは変化する。
【００６０】
エレベータの運転前に、温度上昇予測回路１０１は、キャリア周波数設定回路１１０に予め設定されている通常運転時のキャリア周波数に基づいて予測温度上昇パターン３０４を予測して、温度異常検出回路１０８に出力する。そして、上記第４実施形態で説明したように、温度異常検出回路１０８によって予測温度上昇パターン３０４が上記保護設定レベル３０５以上の温度となるか検出する。ここで、異常検出回路１７より異常予測信号が発報されなければ、その予測温度上昇パターン３０４を用いた温度差比較回路１０２以下の動作が実施される。
【００６１】
これに対して、異常検出回路１７より異常予測信号が発報された際には、エレベータ制御用マイコン１３は、温度上昇予測回路１０１に、キャリア周波数設定回路１１０に予め設定されている複数のキャリア周波数の中から、一段階低い周波数のキャリア周波数に基づく予測温度上昇パターン３０４の予測を行なわせる。こうして、異常検出回路１７より異常予測信号が発報されない予測温度上昇パターン３０４が得られるまで、キャリア周波数を段階的に低くして、予測温度上昇パターン３０４を予測していく。
【００６２】
而して、異常検出回路１７より異常予測信号が発報されない予測温度上昇パターン３０４が得られたならば、エレベータ制御用マイコン１３は、キャリア周波数制御変更回路１０９へ指令を出し、そのキャリア周波数に変更させてエレベータを保護運転することで、インバータ装置１２のスイッチング素子１２Ａを破損することなく駆動させる。
【００６３】
なお、キャリア周波数を低くした場合、平滑コンデンサ１１の寿命が短くなったり、騒音の問題が発生するが、エレベータかご装置３の運転自体には何ら影響を与えない。
【００６４】
また、このキャリア周波数変更時や通常運転時等のエレベータ運転中に、ドライアウトの予兆を検出して、冷却器の能力を超えないようにエレベータの運転を制限することが可能なことは、上記第２実施形態と同様である。
【００６５】
以降は、スイッチング素子温度検出器１４で検出したインバータ装置１２のスイッチング素子１２Ａの放熱面付近の温度が予め設定した温度以下になるまで冷却し、該予め設定した温度以下となったならば、キャリア周波数を通常運転用の初期値に戻して、エレベータの通常運転を再開する。
【００６６】
なお、温度上昇予測回路１０１で段階的に変更したキャリア周波数で予測温度上昇パターン３０４を繰り返し予測させるのではなく、予め設定された複数のキャリア周波数全てに対する予測温度上昇パターン３０４を一度に予測させ、それらを一つずつ異常検出回路１７より異常予測信号が発報されない予測温度上昇パターン３０４が得られるまで出力するような構成としても構わない。
【００６７】
以上のように、本第５実施形態によれば、上記温度上昇予測手段としての電流パターン予測回路１０７、温度上昇予測回路１０１及びキャリア周波数設定回路１１０は、上記ＰＷＭ信号のパターンに基づいて上記インバータ装置１２の出力電流のパターンを予測し、その出力電流の予測パターンと通常運転時の上記スイッチング素子１２Ａのオン、オフ周波数とに基づいて、通常運転時における上記スイッチング素子１２Ａの温度上昇値のパターンを予測し、上記異常検出手段としての温度異常検出回路１０８及び異常検出回路１７は、上記温度上昇予測手段が予測した通常運転時の上記スイッチング素子１２Ａの温度上昇値のパターンを基に上記温度上昇値が予め設定した上限値以上となるか否かをエレベータの運転前に判別し、上記上限値以上となるならば、上記冷却器が異常となる異常予測を検出し、上記異常検出手段が上記異常予測を検出した時には、上記温度上昇予測手段は、上記スイッチング素子１２Ａのオン、オフ周波数を、上記通常運転時よりも低い予め設定した周波数に変更した場合の上記スイッチング素子１２Ａの温度上昇値のパターンを予測し、上記保護運転手段は、上記スイッチング素子１２Ａのオン、オフ周波数を、上記通常運転時よりも低い上記予め設定した周波数に変更するよう構成したので、エレベータ運転前に、そのまま運転したのでは異常となることを判別して、キャリア周波数を低くした運転を行い、冷却器の能力を超えないようにエレベータの運転を制御することが可能となる。
【００６８】
なお、本実施形態は、図１（Ａ）に示したような温度周波数検出回路１０４を備えない上記第１実施形態においても、同様に適用可能なことは言うまでもない。
【００６９】
［第６実施形態］
次に、本発明の第６実施形態に係るエレベータ制御装置を説明する。  
図１０において、上記第３実施形態に係るエレベータ制御装置と同様のものには同一の参照符号を付し、その説明を省略する。
【００７０】
本実施形態に係るエレベータ制御装置は、エレベータ制御用マイコン１３に対して、遠隔地の監視センタ４００の遠隔操作回路４０１より、行き先階のデータを入力できるように構成されている。
【００７１】
エレベータ制御用マイコン１３は、監視センタ４００の遠隔操作回路４０１より点検指示を受け付けると、荷重検出器１０６により検出された１１７のエレベータかご装置の積載荷重に基づいて、当該エレベータかご装置３に乗客が乗っているか否かを判別し、乗っていなければ、自動的に行先階を指定して、上記第３実施形態で説明したような動作を実施する。
【００７２】
このように、本第６実施形態によれば、監視センタ４００の遠隔操作回路４０１からのエレベータの遠隔操作を受け付ける手段及び上記制御手段としてのエレベータ制御用マイコン１３は、上記エレベータの遠隔操作に応じてエレベータを運転することで、上記冷却器の異常の有無を検出させるように構成したので、遠隔指示による自動点検を行なうことが可能となる。
【００７３】
なお、遠隔操作回路４０１は、監視センタ４００に設けるのではなく、ハンディターミナル等の形態で構成し、保守員が該遠隔操作回路４０１をエレベータ制御用マイコン１３に接続して、点検指示を行えるように構成しても良い。
【００７４】
また、本実施形態は、上記第１、第２、第４及び第５実施形態においても、同様に適用可能なことは言うまでもない。
【００７５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除しても、発明が解決しようとする課題の欄で述べられた課題が解決でき、かつ、発明の効果が得られる場合には、この構成要素が削除された構成も発明として抽出され得る。
【符号の説明】
【００７６】
１…商用三相交流電源、  ２…エレベータ駆動用モータ、  ３…エレベータかご装置、  ４…カウンタウェイト、  ５…ロープ、  １０…コンバータ装置、  １１…平滑コンデンサ、  １２…インバータ装置、  １２Ａ…スイッチング素子、  １３…エレベータ制御用マイコン、  １４…スイッチング素子温度検出器、  １５…周囲温度検出器、  １６…温度上昇検出回路、  １７…異常検出回路、  １８…保護運転制御回路、  １９…遠隔監視装置、  １００…電流検出器、  １０１…温度上昇予測回路、  １０２…温度差比較回路、  １０３…温度傾き検出回路、  １０４…温度周波数検出回路、  １０５…行先階検出器、  １０６…荷重検出器、  １０７…電流パターン予測回路、  １０８…温度異常検出回路、  １０９…キャリア周波数制御変更回路、  １１０…キャリア周波数設定回路、  ２００…受熱板、  ２０１…熱輸送部材、  ２０２…放熱フィン、  ２０３…冷却ファン、  ３００…通常時の温度上昇、  ３０１…冷媒ドライアウト時の温度上昇、  ３０２…冷媒ドライアウト寸前の温度上昇、  ３０３…時点、  ３０４…予測温度上昇パターン、  ３０５…保護設定レベル、  ４００…監視センタ、  ４０１…遠隔操作回路。
【図１】
2011063432.tif 000003
【図２】
2011063432.tif 000004
【図３】
2011063432.tif 000005
【図４】
2011063432.tif 000006
【図５】
2011063432.tif 000007
【図６】
2011063432.tif 000008
【図７】
2011063432.tif 000009
【図８】
2011063432.tif 000010
【図９】
2011063432.tif 000011
【図１０】
2011063432.tif 000012
【図１１】
2011063432.tif 000013